(57)【特許請求の範囲】
【請求項１】
上端の表示部と、この表示部下方の袋部を有する表示部材であって、
前記表示部下縁に折り返し部を形成し、
前記折り返し部の上脇または下脇の背面部に接着部を形成し、
正面部における前記折り返し部下脇に箱取付部を形成し、
前記箱取付部に包装箱との接着を行う箱接着部を形成し、
前記折り返し部を折り返すことにより前記表示部背面部と前記箱取付部背面部とを前記接着部で重合させる
ことを特徴とする包装箱用表示部材。
【請求項２】
前記箱接着部と、前記折り返し部の上脇または下脇の背面部に形成した接着部を前記箱取付部に対して背中合わせ状に形成してあることを特徴とする請求項１記載の包装箱用表示部材。
【請求項３】
前記袋部の開口部に閉じ部を延設し、この閉じ部の蓋接着部を開口部縁に接着することで袋部を閉じ可能に形成してあることを特徴とする請求項１または２記載の包装箱用表示部材。
【発明の詳細な説明】
【技術分野】
【０００１】
本発明は包装箱に包装された化粧品や食品等の各種の包装物の広告・宣伝に有用な包装箱用表示部材に関する。
【背景技術】
【０００２】
たとえば特許文献１に記載されているサンプル包装体があり、構成は、上部に宣伝広告もしくは商品説明のための表示部が設けられ、下部にサンプル保持部が設けられ、上記表示部とサンプル保持部の間に、略Ｕ字状の切れ目を有する中間部が設けられた縦長の略長方形シート状体からなり、上記切れ目の内側部分を押し開くことによって随時開口が形成されるようになっているもので、直接商品に取り付けることができ、しかも高い宣伝広告効果を発揮する、優れたサンプル包装体であると記載されている。
具体的には、ペットボトル等のキャップに内側部分を押しつけて開くことで、同ボトルの首部分に取り付けられるようにしてある。
それにともない、表示部がキャップの後側になり且つ斜め後方へ上向いて傾いた状態になることで目立ち難くなり、宣伝広告効果という最大目的からすると不十分な結果になっている。
【特許文献１】特開２０００−４３９３９号公報
【発明の開示】
【発明が解決しようとする課題】
【０００３】
解決しようとする課題は、第１には、包装箱に納められる包装物の広告・宣伝を最大限に目立つように行なえる包装箱用表示部材を、第２には、さらに、最大限の宣伝広告効果が得られるように包装箱への取付けを簡単に行なえる包装箱用表示部材を、第３には、さらに、表示部の見栄えがよく、製作容易である包装箱用表示部材を、第４には、さらに、サンプル等の収納を行なえる包装箱用表示部材を提供することにある。
【課題を解決するための手段】
【０００４】
本発明は前記した課題を達成するため、以下の構成にしたことを特徴とする。
１．上端の表示部と、この表示部下方の袋部を有する表示部材であって、前記表示部下縁に折り返し部を形成し、前記折り返し部の上脇または下脇の背面部に接着部を形成し、正面部における前記折り返し部下脇に箱取付部を形成し、前記箱取付部に包装箱との接着を行う箱接着部を形成し、前記折り返し部を折り返すことにより前記表示部背面部と前記箱取付部背面部とを前記接着部で重合させることを特徴とする。
２．前記した１において、箱取付部における箱接着部と背面部の接着部を背中合わせ状に形成してあることを特徴とする。
３．前記した１または２において、袋部の開口部に閉じ部を延設し、この閉じ部の蓋接
着部を開口部縁に接着することで袋部を閉じ可能に形成してあることを特徴とする。
【０００５】
本発明における表示部材は、主にプラスチックフィルム製のものになるが、紙製、不織布製、その他の公知のものであってもよいし、これらの適宜の複合体であってもよく、表示部および袋部が宣伝広告効果を発揮し得るものであればよい。この表示部材は、縦長あるいは横長の長方形状、正方形状、円形状、楕円形状、その他のこれらに類する形状のものでよく制限はない。また、表示部材は、基本的に一つの表示部と一つの袋部で形成されるが、複数の表示部と一つの袋部で形成されても、一つの表示部と複数の袋部で形成されても、複数の表示部と複数の袋部で形成されてもよい。表示部と袋部は、中間部を経て連続形成されるものでもよいし、そうでなくともよい。
表示部は、宣伝、広告、案内、お知らせ等を掲載可能にしてあり、また、輪郭形状を適宜縁取りして目立つように化粧する等してもよい。
中間部は、箱の奥行きとほぼ同寸法に形成するのが望ましく、この場合、袋部が箱後面部に沿うように落ち着くことになる。また、中間部は、透明に形成して箱上面部を透視可能にしてもよいし、そうでなくともよい。
袋部は、全て透明あるいは一部に透明窓部を形成することで、袋内を透けて見えるようにしてもよいし、そうでなくてもよい。この袋部は、上端に開口部を有するものでも、下端に開口部があるものでもよい。開口部が下端にあるものでは、接着部がある閉じ部を延設して閉じるように形成してもよい。また、袋部および／または中間部には宣伝広告等の表示をしてもよいし、そうでなくともよい。
折り返し部は、折り返し易いように癖付けされた線状に形成してあり、この折り返し部から表示部あるいは袋部側を折り返して形成可能であればよい。
箱取付部は、包装箱の正面部上縁に糊あるいは接着テープ等で貼り付けるようにしてもよいし、箱取付部に箱接着部を設けて接着し得るようにしてもよい。
正面部の箱接着部と背面部の接着部は、接着と剥離を繰り返して行なえる感圧接着剤、被接着面が剥がれる程度の接着力がある接着剤、その他の接着剤でよい。閉じ部の蓋接着部は感圧接着剤になる。接着部と箱接着部と蓋接着部にはそれぞれ離型紙が剥離可能に備えられているのがよい。
【発明の効果】
【０００６】
折り返し部から表示部を折り返すことで、表示部下部が背面部の接着部を経て箱取付部と重合状に一体化し、この箱取付部を包装箱の正面部上縁に取り付けることによって、表示部が箱正面部上縁に起立することになるため、包装箱に納められる包装物の広告・宣伝を最大限に目立つように行なえる。
また、箱取付部の箱接着部を箱正面部上縁に貼り付けて、折り返し部から表示部を上側に折り返すことで、表示部下部が背面部の接着部を経て箱取付部と一体化して箱正面部上縁に起立することになるため、最大限の宣伝広告効果が発揮されるように包装箱への取付けを簡単に行なえる。
また、箱取付部における箱接着部と背面部の接着部が背中合わせなっているので、表示部には接着部を設けずに済み、表示部の見栄えがよく、しかも箱接着部と接着部を正対する一対のロールに通してできるから製作容易である。
さらに、開口部からサンプル等を収めて閉じ部で閉じることによって容易に収納を行なえる。
【発明を実施するための最良の形態】
【０００７】
図１および図２には本発明の包装箱用表示部材における実施の１形態を例示しており、表示部材１は、合成樹脂シートからなる縦長の略長方形状の二重シート状で、合成樹脂シートを背面側下縁に閉じ部９の形成代が残るように上下に半折し、表示部材幅にヒートカットすることにより、上縁部１ａが折り返し縁で左右側縁部１ｂがシールされた縦長の略長方形状の二重シート状に形成してある。
この表示部材１は、上端には表示部２を、表示部２下縁には折り返し部３を、正面部１ｃにおける折り返し部３下脇には箱取付部４を、背面部１ｄにおける折り返し部３下脇には接着部５を、下方には中間部６を経て袋部７を、それぞれ形成してある。
【０００８】
表示部２は、横長の長方形状に形成してあり、正面には包装箱１３内に納められる包装物に関する宣伝広告２ａ等を掲載してある。
折り返し部３は、表示部２下縁に沿い線状に設けてあり、この折り返し部３から下方を背面側に折り返し易く形成してある。
箱取付部４は、正面部１ｃにおける折り返し部３下に横長帯状に形成してあり、同部を接着テープ等の適宜の貼り付け手段により包装箱１３の正面部１３ｂ上縁に貼り付け可能に形成してある。
接着部５は、背面部１ｄにおける折り返し部３下に正面部１ｃの箱取付部４と背中合わせ状に形成してあり、当該接着部５を経て表示部２と箱取付部４が正面側と背面側に重合し得るように形成してある。
【０００９】
中間部６は、包装箱１３の奥行き幅よりも若干長い比率寸法に形成してあり、箱取付部４を包装箱１３の正面部１３ｂ上縁に貼り付けた際に、中間部６が包装箱１３の蓋部１３ａを覆い、袋部７が包装箱１３の背面部１３ｃを覆って垂れ下がり得るように形成してある。この中間部６と袋部７間にはヒートシール或いは超音波シールによるシール部８を設けて区画してある。
袋部７は、縦長の長方形状に形成してあり、下端の開口部７ａから内部にサンプル等を出し入れ可能に形成してある。この袋部７における開口部７ａの背面側縁には閉じ部９を延設し、この閉じ部９の蓋接着部１０を開口部７ａの正面側縁に接着することで開口部７ａすなわち袋部７を閉じ可能に形成してある。
接着部５と蓋接着部１０には剥離テープ１１をそれぞれ剥離可能に貼ってある。
【００１０】
図３〜図５には本発明の包装箱用表示部材における実施の他の１形態を例示しており、構成は前記した図１の態様のものと基本的に同一であるため、共通している構成については符号を準用して省略し、相違する構成について説明する。
表示部材１における箱取付部４には箱接着部１２を背面部１ｄの接着部５と背中合わせ状に形成してあり、同部の箱接着部１２を包装箱１３の正面部１３ｂ上縁に貼り付け可能に形成してある。箱接着部１２には剥離テープ１１を剥離可能に貼ってある。
【００１１】
図６、図７〜図９、図１０にはそれぞれ本発明の包装箱用表示部材における実施の他の１形態を例示しており、構成は前記した図３の態様のものと基本的に同一であるため、共通している構成については符号を準用して省略し、相違する構成について説明する。
図６の表示部材１では、中間部６を除いて形成してあり、また、袋部７を包装箱１３の奥行き幅よりも若干短い比率寸法に形成してある。図７〜図９の表示部材１では、縦長の略長方形状の一重シート状に形成してあり、正面部１ｃ側に袋部７を開口部７ａが袋部上端に開口しているように形成してある。図１０の表示部材１では、紙製のものとし、中間部６における袋部７が連続形成されている側縁を除く三方の側縁に、表示部２、折り返し部３、箱取付部４、折り返し部上脇または下脇の背面部には接着部５、箱取付部の表面には箱接着部１２をそれぞれ形成してあり、正面さらに左右からも視認させることで宣伝広告効果を上げられる。この図１０の袋部７は、左右側縁に折り返し部７ｂを経て抜止辺部７ｃが配設されている袋正面部７ｄ下縁から折り返し部７ｅを経て袋背面部７ｆを延設してあり、左右の抜止辺部７ｃを背面側に折り返した後に袋背面部７ｆを背面側に折り返して、当該袋背面部７ｆの被接着部７ｇを接着部７ｈに接着することで、窓孔７ｉが開口している袋部７を組み立て可能に形成してある。
【００１２】
図１１、図１２、図１３、図１４、図１５には前記した各表示部材の使用状態を例示している。
図１１は前記した図１の表示部材１の使用例であり、剥離テープ１１を剥がし、表示部２を折り返し部３から背面側に折返して箱取付部４と接着部５で重合状に一体化し、この箱取付部４を包装箱１３の正面部１３ｂ上縁に接着テープ１４等で貼り付けてある。これにより、表示部２は包装箱１３の正面部１３ｂ上縁に起立状に立上り、中間部６が包装箱１３の蓋部１３ａを覆い、袋部７が包装箱１３の背面部１３ｃを覆って垂れ下がることになる。
【００１３】
図１２は前記した図３の表示部材１の使用例であり、剥離テープ１１を剥がし、表示部２を折り返し部３から背面側に折返して箱取付部４と接着部５で重合状に一体化し、この箱取付部４を包装箱１３の正面部１３ｂ上縁に箱接着部１２で貼り付けてある。これにより、表示部２は包装箱１３の正面部１３ｂ上縁に起立状に立上り、中間部６が包装箱１３の蓋部１３ａを覆い、袋部７が包装箱１３の背面部１３ｃを覆って垂れ下がることになる。
【００１４】
図１３は前記した図６の表示部材１の使用例であり、剥離テープ１１を剥がし、表示部２を折り返し部３から背面側に折返して箱取付部４と接着部５で重合状に一体化し、この箱取付部４を包装箱１３の正面部１３ｂ上縁に箱接着部１２で貼り付けてある。これにより、表示部２は包装箱１３の正面部１３ｂ上縁に起立状に立上り、袋部７が包装箱１３の蓋部１３ａを覆って位置することになる。
【００１５】
図１４は前記した図７の表示部材１の使用例であり、図１２の使用例と同様に、表示部２は包装箱１３の正面部１３ｂ上縁に起立状に立上り、中間部６が包装箱１３の蓋部１３ａを覆い、袋部７が包装箱１３の背面部１３ｃを覆って垂れ下がることになる。
【００１６】
図１５は前記した図１０の表示部材１の使用例であり、剥離テープ１１を剥がし、三方の表示部２を折り返し部３から背面側に折り返して箱取付部４と接着部５でそれぞれ重合状に一体化し、各箱取付部４を包装箱１３の最寄りの正面部１３ｂ，左側面部１３ｄ，右側面部１３ｅの各上縁に箱接着部１２で貼り付けてある。これにより、表示部２は包装箱１３の正面部１３ｂ，左側面部１３ｄ，右側面部１３ｅの各上縁に起立状に立上り、中間部６が包装箱１３の蓋部１３ａを覆い、袋部７が包装箱１３の背面部１３ｃを覆って垂れ下がることになる。
【００１７】
前記した表示部材１は一例を示しているだけであって、他の例として、たとえば正面部１ｃにおける中間部６および／または袋部７に接着部（図示セズ）を設け、蓋部１３ａや背面部１３ｃに貼り付けられるようにしてもよい。
【図面の簡単な説明】
【００１８】
【図１】本発明の表示部材における実施の１形態を例示している正面図。
【図２】部分拡大縦断面図。
【図３】本発明の表示部材における実施の他の１形態を例示している正面図。
【図４】背面図。
【図５】部分拡大縦断面図。
【図６】本発明の表示部材における実施の他の１形態を例示している正面図。
【図７】本発明の表示部材における実施の他の１形態を例示している背面図。
【図８】正面図。
【図９】縦断面図。
【図１０】本発明の表示部材における実施の他の１形態を例示している正面図。
【図１１】図１の表示部材の使用状態図。
【図１２】図３の表示部材の使用状態図。
【図１３】図６の表示部材の使用状態図。
【図１４】図７の表示部材の使用状態図。
【図１５】図１０の表示部材の使用状態図。
【符号の説明】
【００１９】
１  表示部材
１ａ  上縁部
１ｂ  左右側縁部
１ｃ  正面部
１ｄ  背面部
２  表示部
２ａ  宣伝広告
３  折り返し部
４  箱取付部
５  接着部
６  中間部
７  袋部
７ａ  開口部
７ｂ  折り返し部
７ｃ  抜止辺部
７ｄ  袋正面部
７ｅ  折り返し部
７ｆ  袋背面部
７ｇ  被接着部
７ｈ  接着部
７ｉ  窓孔
８  シール部
９  閉じ部
１０  蓋接着部
１１  剥離テープ
１２  箱接着部
１３  包装箱
１３ａ  蓋部
１３ｂ  正面部
１３ｃ  背面部
１３ｄ  左側面部
１３ｅ  右側面部
１４  接着テープ
【図１】
0004820120.tif 000002
【図２】
0004820120.tif 000003
【図３】
0004820120.tif 000004
【図４】
0004820120.tif 000005
【図５】
0004820120.tif 000006
【図６】
0004820120.tif 000007
【図７】
0004820120.tif 000008
【図８】
0004820120.tif 000009
【図９】
0004820120.tif 000010
【図１０】
0004820120.tif 000011
【図１１】
0004820120.tif 000012
【図１２】
0004820120.tif 000013
【図１３】
0004820120.tif 000014
【図１４】
0004820120.tif 000015
【図１５】
0004820120.tif 000016